(57)【要約】【課題】薬液などの液体の滞留を防止するとともに、薬液の流路で陰圧が生じることを防止するコネクタを提供する。【解決手段】弁体６が第３通路１９に挿入されたときに、第１通路１７と第２通路１８とを連通する貫通孔２９が設けられている。第４通路３２を有する挿入管３１を第３通路１９に挿通して弁体６の端面２５ａを押圧したときには、弁体６が弾性体２４の弾発力に抗じて第３通路１９から外れて、弁体６の側壁６ａによって第１通路１７と第２通路１８との連通が絶たれる。この場合、開かれた溝３０を介して第２通路１８と第４通路３２とが連通する。一方、挿入管３１を第３通路１９から外すと、弁体６が弾性体２４により延びて、弁体６が第３通路１９に挿入して第３通路１９を塞ぐ。この場合、第２通路１８と第３通路１９との連通が絶たれ、貫通孔２９を介して第１通路１７と第２通路１８とが連通される。【選択図】図４
2012005605.tif 000002
【特許請求の範囲】
【請求項１】
有底筒状に形成され空洞部を有すると共に、該空洞部に弁体を収納する基部と、
前記空洞部と連通する第１通路を有し前記基部から延出する第１主流管と、
前記空洞部と連通する第２通路を有し前記基部から延出する第２主流管と、
前記空洞部と連通する第３通路を有し前記基部から延出する支流管とからなるコネクタであって、
前記第１主流管と前記第２主流管とは前記基部の軸方向に段違いに形成されると共に前記支流管は前記基部の軸方向に形成され、
前記弁体は前記支流管の軸方向に伸縮可能な弾性体を備え前記第３通路に挿入されて閉塞自在に設けられ、
前記弁体の前記支流管に臨む端面には強制的に閉じることが可能な常開の溝が形成され、
前記弁体が前記第３通路に挿入されたとき前記第１通路と前記第２通路とを連通する連通部が設けられ、
前記空洞部と連通可能な第４通路を有する挿入管を前記第３通路に挿通して前記弁体の端面を押圧したときに、前記弁体が前記弾性体の弾発力に抗じて前記第３通路から外れると共に、前記弁体の側壁によって前記第１通路と前記第２通路との連通が絶たれる一方、前記溝が開かれて、前記溝を介して前記第２通路と前記第４通路とが連通し、
前記挿入管を前記第３通路から外すと、前記弁体が前記弾性体により延びて、前記弁体が前記第３通路に挿入して第３通路を塞ぐと共に、前記連通部を介して前記第１通路と前記第２通路とが連通される一方、前記弁体が前記第３通路に挿入されたときには前記溝は閉じられることを特徴とするコネクタ。
【請求項２】
請求項１記載のコネクタにおいて、
前記弁体が前記第３通路に挿入されたときに前記弁体の端面が前記支流管の先端面に対して臨むことを特徴とするコネクタ。
【請求項３】
請求項１又は２記載のコネクタにおいて、
前記弁体が前記第３通路に挿入して前記第３通路を塞ぐときに、前記第１通路と前記第２通路とが前記弁体により覆われることを特徴とするコネクタ。
【請求項４】
請求項１から請求項３のいずれか１項記載のコネクタにおいて、
前記連通部は前記弁体を貫通する貫通孔であることを特徴とするコネクタ。
【請求項５】
請求項１から請求項３のいずれか１項記載のコネクタにおいて、
前記連通部は前記弁体の外周側に設けた外周溝であることを特徴とするコネクタ。
【請求項６】
請求項１から請求項３のいずれか１項記載のコネクタにおいて、
前記連通部は前記空洞部を形成する側壁と前記弁体との間に形成された空間部であることを特徴とするコネクタ。
【請求項７】
請求項１から請求項６のいずれか１項記載のコネクタにおいて、
前記弾性体は前記弁体と一体に形成されると共にその内部を空洞に形成した伸縮空洞部を有し、
該伸縮空洞部は蛇腹状に形成されていることを特徴とするコネクタ。
【請求項８】
請求項１から請求項７のいずれか１項記載のコネクタにおいて、
前記基部は、筒状に形成され前記空洞部を有する筒状体と蓋部とからなり、
前記弁体を前記基部の筒状体に前記頭部を前記第３通路に向かって挿入し、
前記弁体の弾性体を前記蓋部で支持して閉蓋自在の構成にすることを特徴とするコネクタ。
【発明の詳細な説明】
【技術分野】
【０００１】
本発明は、液体を流入する２つの流入部と、液体を流出する１つの流出部と、一方の流入部を選択的に塞いで液体の流入を阻止する弁体とを備えるコネクタに関する。
【背景技術】
【０００２】
従来、薬液などの液体を２つの流入部から流入させ、流入された液体を１つの流出部から流出させるコネクタが医療の分野で用いられている。このコネクタは、２つの流入部から流入される液体を１つの流出部に交互にあるいは同時に供給自在とするように形成されている。
【０００３】
この種のコネクタにおいて、液体を流通させる２つの流入部及び１つの流出部と、２つの流入部及び１つの流出部と連通する液体流通空間とを備えるコネクタが知られている（例えば、特許文献１参照）。特許文献１に記載されているコネクタは、一方の流入部に当接することにより一方の流入部から液体流通空間に流入される液体を阻止するが他方の流入部から流出部への液体の流出を可能とする弁体を有する。
【０００４】
この弁体は、筒状に形成され弾性変形する頭部と、この頭部と一体に形成され頭部の軸線方向に弾性変形する変形部とを備える。頭部頂部には連通口を備え、頭部の筒状周壁には開閉可能なスリットが形成され、このスリットが開口すると頭部内部と液体流通空間とが連通し、このスリットが閉口すると頭部と液体流通空間との連通が阻止される。
【０００５】
このスリットは、頭部に外力が加えられていない状態では閉口しているが、外力が加えられて頭部が変形すると開口するように構成されている。そのため、雄ルアーコネクタを一方の流入部に挿入すると押圧されて頭部が変形してスリットが開口し、雄ルアーコネクタから流入される液体が頭部連通口を介して弁体内部から液体流通空間を介して流出部に流出する。したがって、雄ルアーコネクタを一方の流入部に挿入したときは、一方の流入部と他方の流入部とから流入される液体が液体流通空間を介して流出部から流出される。
【０００６】
一方、雄ルアーコネクタを一方の流入部から外すと変形している頭部は弾性材料の復元力によって元の形状となり、スリットが閉口する。このときは、雄ルアーコネクタによって押されていた頭部が解放され、変形部が頭部の軸線方向に延びて復元するため、頭部の位置は雄ルアーコネクタを弁体に向かって挿入する前の位置に戻る。そして、雄ルアーコネクタを一方の流入部から外したときは、他方の流入部から流入される液体が液体流通空間を介して流出部から流出される。
【０００７】
以上より、雄ルアーコネクタを一方の流入部から外したときは他方の流入部から液体が流入されて流出部に流出され、雄ルアーコネクタを一方の流入部に挿入するときは一方の流入部及び他方の流入部から液体が流入されて流出部に流出される。
【先行技術文献】
【特許文献】
【０００８】
【特許文献１】特許第４３７８１８７号公報
【発明の概要】
【発明が解決しようとする課題】
【０００９】
しかしながら、特許文献１に記載のコネクタは、頭部頂部に連通口を備えると共に、頭部の筒状週壁に開閉可能なスリットが形成されているため、複雑な装置構成を有するという不都合がある。
【００１０】
本発明は、上記の不都合を解決するため、簡易な構成で２つの流入部の一方から流入される液体を１つの流出部に供給することのできるコネクタを提供することを目的とする。
【課題を解決するための手段】
【００１１】
本発明は、有底筒状に形成され空洞部を有すると共に、該空洞部に弁体を収納する基部と、前記空洞部と連通する第１通路を有し前記基部から延出する第１主流管と、前記空洞部と連通する第２通路を有し前記基部から延出する第２主流管と、前記空洞部と連通する第３通路を有し前記基部から延出する支流管とからなるコネクタであって、前記第１主流管と前記第２主流管とは前記基部の軸方向に段違いに形成されると共に前記支流管は前記基部の軸方向に形成され、前記弁体は前記支流管の軸方向に伸縮可能な弾性体を備え前記第３通路に挿入されて閉塞自在に設けられ、前記弁体の前記支流管に臨む端面には強制的に閉じることが可能な常開の溝が形成され、前記弁体が前記第３通路に挿入されたとき前記第１通路と前記第２通路とを連通する連通部が設けられ、前記空洞部と連通可能な第４通路を有する挿入管を前記第３通路に挿通して前記弁体の端面を押圧したときに、前記弁体が前記弾性体の弾発力に抗じて前記第３通路から外れると共に、前記弁体の側壁によって前記第１通路と前記第２通路との連通が絶たれる一方、前記溝が開かれて、前記溝を介して前記第２通路と前記第４通路とが連通し、前記挿入管を前記第３通路から外すと、前記弁体が前記弾性体により延びて、前記弁体が前記第３通路に挿入して第３通路を塞ぐと共に、前記連通部を介して前記第１通路と前記第２通路とが連通される一方、前記弁体が前記第３通路に挿入されたときには前記溝は閉じられることを特徴とする。
【００１２】
本発明のコネクタでは、第４通路を有する挿入管を第３通路に挿通して弁体の端面を押圧することによって、弁体が弾性体の弾発力に抗じて第３通路から外れ、弁体の支流管に臨む端面に形成された溝が開く。そのため、開いた溝を介して第２通路と第４通路とが連通し、同時に弁体の側壁により連通部を介した第１通路と第２通路との連通が絶たれる。
【００１３】
また、この挿入管を第３通路から外すと、弁体が弾性体により延びて、弁体が第３通路に挿入して第３通路を塞ぐ。その場合、連通部を介して第１通路と第２通路とが連通される。
【００１４】
したがって、本発明のコネクタでは、挿入管を第３通路に挿通するか否かによって流体の流路を切り替えることができる。
【００１５】
また、弁体を第３通路に挿入されたときは、弁体の端面に形成された溝が閉じられるため、弁体の端面を酒精綿等で容易に消毒することができる。
【００１６】
また、本発明の実施形態として、前記弁体が前記第３通路に挿入されたときに前記弁体の端面が前記支流管の先端面に対して臨むことが好ましい。これによれば、挿入管を第３通路から外すときに、弁体の端面が支流管の先端面に対して臨むため、第３通路への液体の残留を防止することができる。
【００１７】
さらに、本発明の実施形態として、前記弁体が前記第３通路に挿入して前記第３通路を塞ぐときに、前記第１通路と前記第２通路とが前記弁体により覆われることが好ましい。
【００１８】
これによれば、弁体が第３通路に挿入するときに、第１通路と第２通路とが弁体によって覆われるため、第１通路及び第２通路と空洞部との液体の流通を塞ぐことができる。そのため、第２通路から流出された液体が空洞部に逆流することを防止することができる。
【００１９】
また、前記連通部は前記弁体を貫通する貫通孔であり、若しくは前記弁体の外周側に設けた外周溝であってもよい。これらによれば、弁体に貫通孔を形成し、又は弁体の外周側に溝を形成する簡単な構成によって、弁体が第３通路に挿入されて第３通路を塞いだときに、第１通路と第２通路との間に液体を流通させることが可能になる。
【００２０】
また、前記連通部は前記空洞部を形成する側壁と前記弁体との間に形成された空間部であってもよい。これによれば、空洞部を形成する側壁と弁体との間の空間部を形成する簡易な構成によって、弁体が第３通路に挿入されて第３通路を塞いだときに、第１通路と第２通路との間に液体を流通させることが可能になる。
【００２１】
また、前記弾性体は前記弁体と一体に形成されると共にその内部を空洞に形成した伸縮空洞部を有し、該伸縮空洞部は蛇腹状に形成されていることが好ましい。これによれば、この伸縮空洞部が容易に伸縮し、弁体の支流管の軸方向への伸縮が容易となる。
【００２２】
そして、前記基部は、筒状に形成され前記空洞部を有する筒状体と蓋部とからなり、前記弁体を前記基部の筒状体に前記頭部を前記第３通路に向かって挿入し、前記弁体の弾性体を前記蓋部で支持して閉蓋自在の構成にしてもよい。これによれば、前記基部に弁体を挿入し蓋部で閉じることで弁体を装着できる。したがって、流体の流路を切り替えるコネクタを容易に組み立てることが可能となる。
【図面の簡単な説明】
【００２３】
【図１】第１の実施形態のコネクタを示す上面図。
【図２】第１の実施形態の弁体を示す斜視図。
【図３】図１に示される第１の実施形態のコネクタの断面図。
【図４】挿入管を挿入した第１の実施形態のコネクタの断面図。
【図５】第２の実施形態のコネクタの断面図。
【図６】挿入管を挿入した第２の実施形態のコネクタの断面図。
【図７】第３の実施形態のコネクタの断面図。
【図８】挿入管を挿入した第３の実施形態のコネクタの断面図。
【発明を実施するための形態】
【００２４】
「第１の実施形態」
本発明の第１の実施形態を図面に基づいて説明する。まず、第１実施形態の構成について、図１〜図３を用いて説明する。
【００２５】
第１実施形態のコネクタ１は、有底円筒状に形成された基部２と、基部２から延出する第１主流管３と第２主流管４と支流管５と、支流管５を選択的に塞ぐことのできる弁体６とを備えている。基部２と第１主流管３と第２主流管４と支流管５とは一体に形成されている。
【００２６】
基部２は、筒状に形成された筒状体７と、この筒状体７に取り付けられる蓋部８と、この筒状体７によって囲まれた空洞部９とからなる。筒状体７の側壁１０の外周側には、段部１１が筒状体７と一体に形成されている。また、蓋部８は、底面１２とこの底面の周に対して立設されて一体に形成された側壁１３とからなる。底面１２の中心には、凸状となる凸状部１４が底面１２と一体に形成されている。
【００２７】
また、蓋部８の側壁１３の内周側には爪部１５が一体に形成され、この爪部１５が段部１１に対して嵌合することで蓋部８が筒状体７に取り付けられている。爪部１５と段部１１との嵌合は取り外すことができる構成になっており、これにより筒状体７に対して蓋部８を閉蓋自在の構成にすることができる。蓋部８と筒状体７との取り付けでは、蓋部８の底面１２と筒状体７とが密着する。
【００２８】
基部２の軸１６に直交する方向には、筒状に形成された第１主流管３と第２主流管４が互いに１８０゜離間して延出されている。第１主流管３は第１通路１７を有し、第２主流管４は第２通路１８を有する。第１主流管３の第１通路１７と第２主流管４の第２通路１８とは、基部２の空洞部９と連通するように形成されている。また、第１主流管３と第２主流管４は、基部２の軸１６の方向に段違いに形成され、第２主流管４が第１主流管３よりも支流管５に近い位置に形成されている。
【００２９】
また、基部２の軸１６の方向であって図３に示す基部２の上側には、筒状に形成された支流管５が第１主流管３及び第２主流管４に対して９０゜離間して基部２から延出されている。
【００３０】
第３通路１９は支流管５の軸２０に沿う方向の断面が階段状になるように形成され、円筒状に形成された大径通路２１と、この大径通路２１の径よりも小さな径からなる円筒状の小径通路２２とを有する。また、小径通路２２の図３に示す上側には、上側で径が大きくなるようにテーパー上に形成された開口部２３が形成されている。大径通路２１は筒状体７と連通し、小径通路２２は大径通路２１及び開口部２３と連通している。
【００３１】
弁体６は柱状に形成されており、基部２の空洞部９に収納されている。弁体６は、支流管５の軸２０の方向に伸縮可能な弾性体２４と第３通路１９に挿入される頭部２５からなり、頭部２５と弾性体２４とはシリコンゴム等の弾性部材によって一体に形成されている。弾性体２４は、蛇腹状に形成された伸縮空洞部２６と、円筒状に形成された円筒部２７とからなり、伸縮空洞部２６と円筒部２７の内部は連通した空洞に形成されて空間部２８を形成している。伸縮空洞部２６と円筒部２７とは一体に形成されている。また、この円筒部２７には、第１通路１７と第２通路１８とを連通する貫通孔２９が形成されている。この貫通孔２９は、基部２の軸１６に対して傾斜するように形成されている。この貫通孔２９が、第１通路１７と第２通路１８とを連通する連通部に相当する。弁体６は、伸縮空洞部２６に凸状部１４を挿入することにより、蓋部８に支持されている。
【００３２】
弁体６の頭部２５は、第３通路１９の大径通路２１及び小径通路２２に挿入されて密着するように構成され、弁体６の頭部２５の挿入によって第３通路１９は塞がれる。その場合、弁体６の端面２５ａは支流管５の先端面２４ａに対して臨む。また、弁体６の支流管５に臨む頭部２５の端面２５ａにはＶ字状の溝３０が形成されている。この溝３０は常開に形成されているが、弾性部材である頭部２５に外力を加えて変形させることによって、この溝３０を強制的に閉じることができる。
【００３３】
次に、図３、図４を用いて、本実施形態のコネクタ１の作動について説明する。図３には、第３通路１９に挿入管３１を挿入していない状態のコネクタ１が示されている。挿入管３１が第３通路１９に挿入されていないときは、弁体６が第３通路１９に挿入されて第３通路１９を塞いでいる。そのため、図示しない第１チューブを第１主流管３に装着し、図示しない第２チューブを第２主流管４に装着して、第１チューブから薬液などの液体を流入すると、この液体は、連通された第１主流管３と貫通孔２９と第２主流管４とを介して図示しない第２チューブに流出される。このとき、溝３０は閉じられている。
【００３４】
次に、図４に示すように、第４通路３２を有する挿入管３１を第３通路１９に挿通すると、挿入管３１が弁体６の頭部２５の端面２５ａに当接されて、この端面２５ａを押圧する。このとき、伸縮空洞部２６の弾発力に抗じて伸縮空洞部２６が大きく収縮し、頭部２５が第３通路１９から外れて、弁体６が底面１２側に移動する。その場合、頭部２５が第３通路１９の大径通路２１及び小径通路２２から解放されて溝３０が開くため、溝３０を介して第４通路３２と第２通路１８とが連通する。したがって、空洞部９を介して挿入管３１から第２通路１８に液体を流出させることが可能となる。
【００３５】
また、弁体６の頭部２５及び円筒部２７が底面１２側に移動するため、円筒部２７に形成された貫通孔も底面１２側に移動する。そのため、弁体６の側壁６ａによって第１通路１７が覆われることで第１通路１７と貫通孔２９との連通が絶たれ、第１通路１７から空洞部９への液体の流入が阻止され、第１通路１７と第２通路１８との連通が絶たれる。
【００３６】
次に、第３通路１９に挿入された挿入管３１を外すと、図３に示すように弁体６は伸縮空洞部２６により延びて、弁体６が復元し、弁体６の頭部２５が支流管５の第３通路１９に挿入される。このとき、第３通路１９と頭部２５との密着によって頭部２５が押圧されるため、頭部２５の端面２５ａに形成された溝３０は閉じられ、第３通路１９が塞がれる。
【００３７】
また、弁体６が復元すると、弁体６が伸縮空洞部２６により延びて、円筒部２７は挿入管３１の挿入前の位置と同じ位置に戻る。そのため、弁体６の円筒部２７によって、第１通路１７と第２通路１８とが覆われると共に、第１通路１７と第２通路１８とが貫通孔２９を介して連通する。
【００３８】
以上のように、第１の実施形態のコネクタ１によれば、弁体６を第３通路１９に挿入したときは弁体６の端面２５ａに形成された溝３０が閉じられるため、弁体６の端面２５ａを酒精綿等で容易に消毒することができる。
【００３９】
また、弁体６が第３通路１９に挿入されたときに弁体６の端面２５ａが支流管５の先端面２４ａに対して臨む。そのため、挿入管３１を第３通路１９から外す場合に、挿入管３１から流入されている液体が第３通路１９に残留することを防止することができる。
【００４０】
さらに、弁体６が第３通路１９に挿入するときに、第１通路１７と第２通路１８とが弁体６によって覆われるため、第１通路１７及び第２通路１８と空洞部９との液体の流通を塞ぐことができる。そのため、第２通路１８から流出された液体が空洞部９に逆流することを防止することができる。
【００４１】
さらに、伸縮空洞部２６が容易に伸縮し、弁体６の支流管５の軸２０方向への伸縮が容易となるため、挿入管３１を第３通路１９に対して容易に挿入させることができると共に、挿入管３１を第３通路１９から外す場合に弁体６を容易に第３通路１９に挿入して第３通路１９を塞ぐことができる。
【００４２】
また、蓋部８の底面１２に弾性体２４を取り付けた状態で、筒状体７に蓋部８を嵌合させて、筒状体７と蓋部８の底面１２とを密着させることができる。したがって、２方向への流体の流通と、３方向への流体の流通とを切り替えるコネクタ１を容易に組み立てることが可能となる。
【００４３】
また、挿入管３１を支流管５に挿通するか否かによって、流体の流路を切り替えることができる。その場合、三方活栓ようにコック操作をすることなく、流体の流路を切り替えることができる。
【００４４】
そして、第１の実施形態のコネクタ１では、第３通路１９に弁体６を挿入することで、挿通自在とする簡易な構成で、流体の流路を切り替えることができる。
【００４５】
「第２の実施形態」
次に、第２の実施形態について、図５、図６を用いて説明する。図１〜図３と同一の構成及び図３、図４と同一の動作については、同一の記号を付して説明を省略する。
【００４６】
弁体６の円筒部２７の外周側には溝が周状に設けられて外周溝３３を形成している。この外周溝３３は、基部２の軸１６に対して傾斜するように形成されている。また、この外周溝３３は、弁体６が第３通路１９に挿入されたときに第１通路１７と第２通路１８とを連通するように形成されている。この外周溝３３が、第１通路１７と第２通路１８とを連通する連通部に相当する。
【００４７】
「第３の実施形態」
次に、第３の実施形態について、図７、図８を用いて説明する。図１〜図３と同一の構成及び図３、図４と同一の動作については、同一の記号を付して説明を省略する。
【００４８】
第３の実施形態における弁体６の弾性体２４は伸縮空洞部２６からなる。空洞部９を形成する側壁３４と弁体６の伸縮空洞部２６との間には空間部３５が設けられている。この空間部３５は弁体の伸縮空洞部２６を囲むように設けられ、弁体６の頭部２５が第３通路１９に挿入されているときには、空間部３５は第１通路１７及び第２通路１８と連通している。この空間部３５が、第１通路１７と第２通路１８とを連通する連通部に相当する。
【００４９】
以上、第１〜第３の実施形態で説明したように、この発明に係るコネクタ１によれば、簡易な構成で２つの流入部のうちの一方から流入される液体を１つの流出部に供給することができる。
【符号の説明】
【００５０】
１…コネクタ、２…基部、３…第１主流管、４…第２主流管、５…支流管、６…弁体、９…空洞部、１７…第１通路、１８…第２通路、１９…第３通路、２４…弾性体、２５ａ…端面、３０…溝、３１…挿入管、３２…第４通路。
【図１】
2012005605.tif 000003
【図２】
2012005605.tif 000004
【図３】
2012005605.tif 000005
【図４】
2012005605.tif 000006
【図５】
2012005605.tif 000007
【図６】
2012005605.tif 000008
【図７】
2012005605.tif 000009
【図８】
2012005605.tif 000010